(57)【要約】  皮膚トリートメント装置が、一端にトリートメントヘッドを、かつ、もう一つの端にディスペンサヘッドを有する本体を含む。トリートメントヘッドは、一以上の皮膚疾患のトリートメントを行うための所望の特性を有する電磁放射を放出する少なくとも一つの光源を包含するポッティングを含む。皮膚接触表面は、ポッティングの一端に配置され、かつ、光源から放出された電磁放射をユーザの皮膚に伝えるべく適合される。振動子が、当該ポッティングの他端と直接的に又は間接的に接触して皮膚接触表面を振動させる。ディスペンサヘッドは、一以上の皮膚疾患のトリートメントを行うために使用される所望の物質を投与する投与アセンブリを含む。
2014513619.tif 000002
【特許請求の範囲】
【請求項１】
皮膚トリートメント装置であって、
一以上の皮膚疾患のトリートメントを行うための所望の特性を有する電磁放射を放出する少なくとも一つの光源を包含するポッティングと、
前記ポッティングの一端に配置された皮膚接触表面であって、前記少なくとも一つの光源から放出された電磁放射をユーザの皮膚に伝えるべく適合された皮膚接触表面と、
前記ポッティングの他端に直接的に又は間接的に接触する振動子であって、前記皮膚接触表面を振動させるべく適合された振動子と、
前記光源及び前記振動子の動作を制御する制御アセンブリと
を含む装置。
【請求項２】
前記皮膚接触表面は、ユーザの皮膚の一部を伸ばすべく適合された一以上のフォーメーションを含む、請求項１に記載の装置。
【請求項３】
前記皮膚接触表面は、ユーザの皮膚上の一以上の皮膚フォーメーションを包絡するべく適合された一以上のフォーメーションを含む、請求項１に記載の装置。
【請求項４】
前記少なくとも一つの光源及び前記振動子は、前記ポッティングの前記一端から前記ポッティングの前記他端まで延びる軸に沿って整合される、請求項１に記載の装置。
【請求項５】
前記軸に沿って前記光源及び振動子と整合された電気回路コンポーネントを収容するハウジングと、
前記電気回路コンポーネントを互いに対して軸方向に押し合わせて擾乱の場合に前記コンポーネントの脱落を妨げる付勢体と
をさらに含む、請求項４に記載の装置。
【請求項６】
前記ポッティングは、少なくとも一つの光源から発生した熱を皮膚接触表面及びユーザの皮膚に伝えるべく作用する、請求項１に記載の装置。
【請求項７】
前記電磁放射は４００〜１５００ｎｍの範囲にある、請求項１に記載の装置。
【請求項８】
前記電磁放射は、にきびトリートメントのための４００〜４５０ｎｍの範囲にある、請求項１に記載の装置。
【請求項９】
前記電磁放射は４００〜１５００ｎｍの範囲にある、請求項１に記載の装置。
【請求項１０】
トリートメントのためのエネルギー出力は、５〜１５Ｊ／ｃｍ２の範囲にある、請求項１に記載の装置。
【請求項１１】
トリートメントのためのエネルギー出力は、にきびトリートメントのための４〜８Ｊ／ｃｍ２の範囲にある、請求項１に記載の装置。
【請求項１２】
皮膚トリートメント装置であって、
一端にトリートメントヘッドを、かつ、もう一つの端にディスペンサヘッドを有する本体であって、前記トリートメントヘッドは、少なくとも一つの光源を含み、一以上の皮膚疾患のトリートメントを行うための所望の特性を有する電磁放射を放出する光源を含み、前記ディスペンサヘッドは、一以上の皮膚疾患のトリートメントを行うために使用される所望の物質を投与する投与アセンブリを含む本体と、
前記光源の動作を制御する制御アセンブリと
を含む装置。
【請求項１３】
前記トリートメントヘッドは、ユーザの皮膚に振動を適用するべく適合された振動子をさらに含む、請求項１２に記載の装置。
【請求項１４】
前記トリートメントヘッドは、少なくとも一つの光源から発生した熱を皮膚接触表面及びユーザの皮膚に伝えるべく作用するポッティングをさらに含む、請求項１２に記載の装置。
【請求項１５】
皮膚トリートメント装置のためのトリートメントヘッドであって、
一以上の皮膚疾患のトリートメントを行うための所望の特性を有する電磁放射を放出する少なくとも一つの光源を包含するポッティングと、
前記ポッティングの一端に配置された皮膚接触表面であって、前記少なくとも一つの光源から放出された電磁放射をユーザの皮膚に伝えるべく適合された皮膚接触表面と、
前記ポッティングの他端に直接的に又は間接的に接触する振動子であって、前記皮膚接触表面を振動させるべく適合された振動子と
を含むトリートメントヘッド。
【請求項１６】
前記皮膚接触表面は、ユーザの皮膚の一部を伸ばすべく適合された一以上のフォーメーションを含む、請求項１５に記載のトリートメントヘッド。
【請求項１７】
前記皮膚接触表面は、ユーザの皮膚上の一以上の皮膚フォーメーションを包絡するべく適合された一以上のフォーメーションを含む、請求項１５に記載のトリートメントヘッド。
【請求項１８】
前記フォーメーションは少なくとも一つの凸部を含む、請求項１６に記載のトリートメントヘッド。
【請求項１９】
前記フォーメーションは少なくとも一つの凹部を含む、請求項１６に記載のトリートメントヘッド。
【請求項２０】
前記ポッティングは、少なくとも一つの光源から発生した熱を皮膚接触表面及びユーザの皮膚に伝えるべく作用する、請求項１５に記載のトリートメントヘッド。
【請求項２１】
前記皮膚接触表面は、少なくとも一部が前記ポッティングから形成される、請求項１５に記載のトリートメントヘッド。
【請求項２２】
前記皮膚接触表面は、前記ポッティングの前記一端に配置されたフェイスプレートを含む、請求項１５に記載のトリートメントヘッド。
【請求項２３】
前記フェイスプレートは、前記ポッティングの前記一端に取り外し可能に配置される、請求項２２に記載のトリートメントヘッド。
【発明の詳細な説明】
【技術分野】
【０００１】
本明細書はトリートメント装置に関し、詳しくは、光、熱及び／又は振動治療の適用を通じて、例えば皮膚疾患のような疾患のトリートメントを扱うポータブル可搬装置に関する。
【背景技術】
【０００２】
治療物質の局所的な適用並びに光（電磁放射）の特定の波長及び強度に対する制御された露出を通じて、様々な皮膚疾患のトリートメントを行うことができる。かかる皮膚疾患のトリートメントは、所望のトリートメント領域に対する、例えば振動刺激のような機械的刺激又は熱の適用によって向上させることができる。
【先行技術文献】
【特許文献】
【０００３】
【特許文献１】米国特許出願公開第２００９／００４８５５７（Ａ１）号明細書
【特許文献２】国際公開第２００６／０１２７５２（Ａ１）号パンフレット
【特許文献３】米国特許出願公開第２００４／００００３１６（Ａ１）号明細書
【特許文献４】米国特許出願公開第２００７／０２６０２９５（Ａ１）号明細書
【発明の概要】
【０００４】
一側面において、一以上の皮膚疾患のトリートメントを行うための所望の特性を有する電磁放射を放出する一以上の光源を包含するポッティングと、当該ポッティングの一端に配置された皮膚接触表面であって、当該少なくとも一つの光源から放出された電磁放射をユーザの皮膚に伝え、かつ、当該少なくとも一つの光源の動作によって発生した熱を当該ユーザの皮膚に伝えるべく適合された皮膚接触表面と、当該ポッティングの他端に直接的に又は間接的に接触する振動子であって、当該皮膚接触表面を振動させるべく適合された振動子と、当該光源及び当該振動子の動作を制御する制御アセンブリとを含む皮膚トリートメント装置が与えられる。
【０００５】
もう一つの側面において、一端にトリートメントヘッドを、かつ、もう一つの端にディスペンサヘッドを有する本体であって、当該トリートメントヘッドは、一以上の皮膚疾患のトリートメントを行うための所望の特性を有する電磁放射を放出する一以上の光源を含み、かつ、当該少なくとも一つの光源によって発生した熱を当該ユーザの皮膚に伝え、当該ディスペンサヘッドは、一以上の皮膚疾患のトリートメントを行うために使用される所望の物質を投与する投与アセンブリを含む本体と、当該光源の動作を制御する制御アセンブリとを含む皮膚トリートメント装置が与えられる。
【０００６】
さらにもう一つの側面において、皮膚トリートメント装置のためのトリートメントヘッドが与えられる。当該トリートメントヘッドは、一以上の皮膚疾患のトリートメントを行うための所望の特性を有する電磁放射を放出する少なくとも一つの光源を包含するポッティングと、当該ポッティングの一端に配置された皮膚接触表面であって、当該少なくとも一つの光源から放出された電磁放射をユーザの皮膚に伝え、かつ、当該少なくとも一つの光源の動作によって発生した熱を当該ユーザの皮膚に伝えるべく適合された皮膚接触表面と、当該ポッティングの他端に直接的に又は間接的に接触する振動子であって、当該皮膚接触表面を振動させるべく適合された振動子とを含む。
【０００７】
本明細書の特定例の以下の記載を参酌することで、ここに開示される教示に係る他の側面及び特徴が当業者にとって明らかとなる。
【図面の簡単な説明】
【０００８】
添付される図面は、本明細書の物品、方法及び装置の様々な例を示すことを目的とし、いずれの態様によっても、教示されるものの範囲を制限することを意図しない。適切と考えられる例示の簡潔及び明確のため、図面において、対応する又は類似する要素を示す参照番号は繰り返される。
【０００９】
【図１】一例に係るトリートメント装置の簡略的に例示する斜視図である。
【図２Ａ】図１の装置を簡略的に例示する、Ｗ−Ｗ線に沿って見た斜視断面図である。
【図２Ｂ】図１の装置を簡略的に例示する、Ｗ−Ｗ線に沿って見た斜視断面図である。
【図３】図１の装置を簡略的に例示する斜視図であって、当該装置の残り部分から取り外されたディスペンサヘッドを示す。
【図４】図１の装置を簡略的に例示する分解斜視図である。
【図５】図１の装置のトリートメントヘッドを簡略的に例示する、Ｗ−Ｗ線に沿って見た拡大断面図である。
【図６】図１の装置のための所定の機能コンポーネントのブロック図である。
【図７】もう一つの例に係るトリートメント装置のトリートメントヘッドを簡略的に例示する断面図である。
【図８】もう一つの例に係るトリートメント装置のトリートメントヘッドを簡略的に例示する断面図である。
【図９】図９Ａ〜９Ｆは、トリートメント装置のための皮膚接触表面の多くの例を簡略的に例示する平面図である。
【発明を実施するための形態】
【００１０】
請求項に記載の装置は、以下に記載のいずれか一つの装置又は方法の特徴すべて又は以下に記載の多数若しくはすべてに共通な特徴を有する装置に限られない。請求項に記載の装置は、以下に記載の装置要素又は方法ステップのコンビネーション又はサブコンビネーションを含む。以下に記載の装置又は方法が請求項に記載の装置の一例ではないとすることも可能である。単数又は複数の出願人及び／又は所有者が、本書類において請求されていない以下に記載される任意の装置又は方法の権利すべてを保有しており、本書類の開示によって当該装置のいずれかを断念し、放棄し、又は公衆へ献上するものではない。
【００１１】
一例に係るトリートメント装置１０が一般に図１に示される。本装置は、トリートメントヘッド１２、本体１４及びディスペンサヘッド１６を含む。
【００１２】
トリートメントヘッド１２は、トリートメントヘッドハウジング２２内に配置されたトリートメントアセンブリ２０（図２Ａ及び２Ｂ）を含む。トリートメントヘッドハウジング２２は一端が、トリートメントアセンブリ２０を受容するキャビティ２４（図４）及びアパチャ２６を画定する。トリートメントアセンブリ２０は、ポッティング３０内に少なくとも一部がカプセル化された少なくとも一つの光源２８を含む。光源２８は、一般にチップ・イン・ボード又は面実装ＬＥＤのような発光ダイオード（ＬＥＤ）であり、さらに一般にはカプセル化ＬＥＤであり得る。
【００１３】
光源２８は一般に、４００〜１５００ｎｍの範囲で動作する。さらに一般には、光源２８は、にきびのトリートメントに対しては４００〜４５０ｎｍの範囲（かつ最も一般には４１４ｎｍ）、皮膚リジュベネーションに対しては６００〜１０００ｎｍ（かつ最も一般には６６０ｎｍ）、及び微小循環刺激に対しては８００〜１０００ｎｍ（かつ最も一般には８７０ｎｍ）で動作する。光源２８を使用するトリートメントに対するエネルギー出力は一般に、５〜１５Ｊ／ｃｍ２の範囲である。青色光（４１４ｎｍ）トリートメントに対しては、エネルギー出力は一般に約６Ｊ／ｃｍ２である。１２０秒のトリートメント時間に対しては、パワー密度は一般に５０ｍＷ／ｃｍ２である。他のいくつかの波長では、エネルギー出力は、トリートメント時間が同量であると仮定すれば、７Ｊ／ｃｍ２〜８．４Ｊ／ｃｍ２の範囲である。そして、一点光源２８が使用される場合、１５Ｊ／ｃｍ２以上のエネルギー出力を適用することができる。
【００１４】
一般に、複数の光源２８がポッティング３０内にカプセル化される。これは、例示目的のみとして、図１〜５に示されるように、円形配列で均一に分散された７つ又は他の任意数のカプセル化ＬＥＤ光源のクラスタである。図７〜９に示されるように、他の形状及び配列構成も使用することができる。ポッティング３０は、例示目的のみとして、光源２８の実質的な部分を包む透明エポキシのポッティングであり得る。光源２８が一以上のカプセル化ＬＥＤを含む場合、かかる透明エポキシのポッティング３０は一般に、当該ＬＥＤをカプセル化するべく使用されるエポキシ材料の屈折率に類似する屈折率を有する。アクリルエポキシのポッティング３０を、例えば摂氏２０度でのその屈折率がほぼ１．５であることに基づいて選択することができる。この屈折率は、ＬＥＤエポキシのカプセル化に対する１．４７〜１．５２の屈折率範囲に類似する。
【００１５】
図１〜５に示される装置１０の一例において、ポッティング３０は、キャビティ２４（図４）内に、アパチャ２６とほぼ面一に配置される。カプセル化ＬＥＤ光源２８の先端部が、アパチャ２６から短距離（一般に０．５〜５ｍｍ）突出する。ポッティング３０の露出面及びカプセル化ＬＥＤの突出先端部が一緒になってトリートメントアセンブリ２０の皮膚接触表面３４を画定する。皮膚接触表面３４は代替的に、一般に透明エポキシ材料から形成されるフェイスプレート３６（図５、７及び８）によって画定される。これは、図７〜９に示されるように、トリートメントヘッド１２の端に配置され、かつ、光、熱及び振動エネルギーを皮膚に伝えるべく適合される。フェイスプレート３６は、トリートメントヘッドハウジング２２上のビード３９まわりのスナップ嵌め、ねじ接続（図示せず）又は他の適切な取り外し可能接続手段のような接続４８（図７及び８）によって、トリートメントヘッド１２の端に取り外し可能に接続される。取り外し可能接続によってユーザは、所望のトリートメントに応じた様々なフェイスプレートを互換可能に嵌めることができる。
【００１６】
ポッティング３０の残りが、キャビティ２４（図４、５、７及び８）内に配置され、かつ、非皮膚接触表面３８を含む。非皮膚接触表面３８は、皮膚接触表面３４に対向するポッティング３０側部に配置され、かつ、第１プリント回路基板（ＰＣＢ）４０に接続される。第１ＰＣＢ４０は、複数のベント孔（図示せず）を含む。当該ベント孔によって、ポッティング３０を形成する溶融材料がトリートメントヘッドハウジング２２内に配置されるときに空気を逃がすことができる。
【００１７】
ポッティング３０は、光源２８から発生する熱を皮膚接触表面３４に伝えるべく作用する。カプセル化ＬＥＤ光源２８が十分な熱を発生し、これが皮膚接触表面３４を通って伝わる際に、様々な皮膚疾患のトリートメントを補助することがわかっている。典型的には、皮膚接触表面３４が（一般に摂氏３７〜４５度の範囲にある）ユーザの皮膚に対して熱く感じるのに十分な熱が発生する。図８に示される代替的な一例では、光源２８単独からの熱伝達によって達成されるものよりも大量の熱又は安定した温度を与えるべく、ヒータ４４がポッティング３０内に配置される。ポッティング３０内には、トリートメント中に使用される高周波エネルギーを放出するべく、高周波エネルギーエミッタ４５も配置することができる。装置１０の動作を制御するべく、温度センサ及び近接センサのようなセンサ（図示せず）もトリートメントヘッド１２内に配置することができる。
【００１８】
皮膚接触表面３４は一般に、皮膚への所望のトリートメントの適用を最適化するフォーメーション４６を含む。フォーメーション４６は、いくつかの態様において装置１０の性能を向上させると考えられる。当該態様には、皮膚を伸ばすこと、細孔を開くこと、並びに装置１０から皮膚への光、熱及びとりわけ振動エネルギーの伝達を最適化することが含まれる。
【００１９】
フォーメーション４６は、図７〜９に示される様々な形状及び配列又はそれぞれの組み合わせを有する一以上の凸部４６ａ（図８）又は凹部４６ｂ（図７）を含む。フォーメーション４６は一般に、０．５〜５ｍｍの範囲にある高さＨ又は深さＤを有する。フォーメーション４６は、所望のトリートメントに応じて滑らかな表面又はざらざらな表面を有する。フォーメーション４６及び最も一般には凹部４６ｂは、いぼ、まめ又は吹き出物のような皮膚疾患を完全に取り囲みかつ包絡するサイズとされる。
【００２０】
トリートメントアセンブリ２０はさらに、振動子４２（図４、５、７及び８）を含む。これは例えば、円板型振動モータである。振動子４２は、一般にポッティング３０との共通軸Ａに沿って第１ＰＣＢ４０の、ポッティング３０の裏面３８と接触する側に対向する側と係合する。振動子４２は、一般にエポキシ、溶接又は他の適切な取り付け具を使用して第１ＰＣＢ４０に固定され、振動が皮膚接触表面３４に並進することを確実にする。振動子４２は、マイクロコントローラ４８（図６）の制御下、所望の動作周波数でのパルス幅変調を介して駆動される。バッテリが経時的にフルパワーから低パワーまで消耗する可変電圧範囲に調整する一定の振動駆動スキームが使用される。振動子４２は、亜音速、音速又は超音速の周波数で及び最も一般には５０００〜２５０００Ｈｚの範囲で動作する。
【００２１】
一般に、トリートメントヘッドハウジング２２及びトリートメントアセンブリ２０は、一つの統合体として形成される。これは、一以上の光源２８（一般にはカプセル化ＬＥＤ）を第１ＰＣＢ４０の第１側に第１のはんだ付けを行うことによって達成される。光源２８が取り付けられた第１ＰＣＢ４０はその後、トリートメントヘッドハウジング２２内に配置され、光源２８及び第１ＰＣＢ４０の第１側が、アパチャ２６を介してポッティング材料を堆積することによりカプセル化されてポッティング３０が形成される。十分なポッティングが与えられてキャビティ２４を充填し、並びに第１ＰＣＢ４０、光源２８及びトリートメントヘッドハウジング２２を一緒に結合し一つの統合体にする。振動子４２がその後、第１ＰＣＢ４０の対向側に配置され、エポキシ、溶接又は他の適切な取り付け具を使用して第１ＰＣＢ４０に永久的に取り付けられる。
【００２２】
本体１４（図１、２及び３）は、軸Ａに沿って整合された電気回路コンポーネントを含む。当該コンポーネントは、本体ハウジング５２内に収容された制御アセンブリ５０を含む。制御アセンブリ５０は、振動子４２に動作可能に接続された第２ＰＣＢ５４を含む。制御スイッチ５６が、装置１０の動作を制御するべく本体ハウジング５２の外部に配置される。制御スイッチ５６は、装置１０の動作を制御するための単純なオン／オフスイッチ（図示のとおり）であるか又は追加の制御設定を有する。追加の制御設定は、振動量を制御する振動制御及び／又は光源が放出する光量を制御する光源制御を含む。制御スイッチ５６は、第３ＰＣＢ５８上に配置されたマイクロコントローラ４８（図６）に動作可能に接続される。第３ＰＣＢ５８は次に、本体ハウジング５２内に配置された一以上の交換可能又は充電可能バッテリのような電力源６０に接続される。本体ハウジング５２は、トリートメントヘッドハウジング２２に取り外し可能に接続されてバッテリへのアクセスが容易とされる。好都合なことに、電力源６０のためのバッテリが一体バッテリホルダ６２内に配置される。
【００２３】
堅固な表面に対する落下及び衝突のような不意の又は突然の装置１０の擾乱が、例えばＰＣＢ４０、５４及び５８並びにバッテリホルダ６２のような装置１０の電気回路コンポーネントに対し、軸Ａ（図４）に沿った軸方向に又は軸Ａに対する直交方向にシフトさせ、互いの物理的接触を脱落及び喪失させ、当該コンポーネント間の電気的接触を分断させ、並びに装置１０を動作不能にする。
【００２４】
本体１４はまた、軸Ａに沿った分割具６６とバッテリホルダ６２との間に又は他の任意の適切な位置に付勢体６４（図２及び４）を含む。付勢体６４は、例えば、ばね、ゴム円筒体等であり、任意の圧縮可能かつ膨張可能な適切な材料から作られる。これは、トリートメント装置１０の電気回路コンポーネントの軸Ａに沿った動きを減衰させ、かつ、装置１０の電気回路コンポーネントを互いに対して軸Ａに沿って押し合わせるダンパとして作用する。その結果、かかる擾乱の場合に、当該コンポーネントのかかる軸方向の又は直交方向の動き及び脱落が妨げられる。
【００２５】
図２Ａに示されるように、ディスペンサヘッド１６は投与アセンブリ７０を含み得る。これは、取り外し可能キャップ７４（図１、３及び４）によって覆われたディスペンサハウジング７２内に配置される。投与アセンブリ７０は、ユーザの皮膚のトリートメントを行うための物質を投与する任意の適切なアセンブリである。例えば、投与アセンブリ７０は、ディスペンサハウジング７２内に配置された容器（図示せず）からトリートメント物質を投与するローラ（図示のとおり）、スティック又は噴霧ノズルである。トリートメント物質は、特定の疾患のトリートメントを行うべく使用されるか又はトリートメント中又はトリートメント後に他の所望の効果、治療等を与える任意の局所的調合物であり、典型的には液体、ゲル又はスティックの形態である。
【００２６】
代替的にかつオプションとして、ディスペンサヘッド１６は中空又は中実であり、取り外し可能に又は統合的に取り付けられたキャップ７４のみを含み得る。
【００２７】
ディスペンサヘッド１６は、表面に配置された接続器８２によって、例えばねじ若しくはスナップ嵌め又は磁気接続によって、取り外し可能に本体１４に取り付けられる。その結果、異なるディスペンサヘッド１６を本体１４に取り付けることができる。異なるディスペンサヘッド１６は、所望のアプリケーションのための、トリートメント物質の新たな供給物又は代替タイプのトリートメント物質を含む。代替的に、物質容器はトリートメント物質のリフィル（図示せず）を受容するべく適合されるか又は物質容器は新たな容器が挿入され得るようにハッチ（図示せず）を介して取り外すことができる。
【００２８】
図６を参照すると、ブロック図が装置１０の所定の機能コンポーネントの相互接続性を例示する。電力源６０が所定の機能コンポーネントに電力を供給する一方、マイクロコントローラ４８が当該機能コンポーネントの動作を制御する。マイクロコントローラは、プロセッサ及びメモリを含む。電力源６０のモニタリング並びに光源２８、振動子４２及び（オプションとして）ヒータ４４のモニタリング及び制御のようなマイクロコントローラの機能のいくつか又はすべてを、そのメモリに格納されるソフトウェアを使用して、そのプロセッサにプログラムすることができる。制御スイッチ５６により、マイクロコントローラ４８の手動制御及びひいては装置１０の機能コンポーネントの制御が可能となる。
【００２９】
使用中、ユーザは、ディスペンサヘッド１６を使用して当該ユーザの皮膚の所望の領域にトリートメント物質を適用する。ディスペンサヘッド１６は好都合なことに、装置１０の一端に位置決めされる。その結果、ユーザはその後、装置１０を単に方向転換するだけで、トリートメントヘッド１２を使用して所望のトリートメントを適用することができる。ユーザはその後、制御スイッチ５６をアクティブにして光、熱及び振動エネルギーの発生を開始することができる。ユーザはその後、皮膚接触表面３４をユーザの皮膚の所望の領域に適用し、所望のトリートメントを所望の時間周期（例えば２分）だけ施すことができる。ユーザは、所望量の圧力をユーザの皮膚に適用することができる。これにより、皮膚接触表面におけるフォーメーション４６が、皮膚を伸ばし、細孔を開き、及び光、熱及び振動エネルギーの皮膚への送達を最適化することができる。ユーザはまた、皮膚表面上で装置１０を動かして大きな皮膚表面領域をさらに刺激しかつトリートメントを行うことができる。
【００３０】
本装置は、光、熱及び振動エネルギーの組み合わせの適用から利益を得る広範囲の疾患に対してトリートメントのための使用が意図されている。かかる疾患は典型的に、にきび、しみ、いぼ、セルライト及び年齢に関連する疾患のような、微小循環発生及びコラーゲン生成から利益を得る美容的又は皮膚病学的疾患である。本装置は、膣疣贅のような他の疾患のトリートメントに対しても同様に使用することができる。
【００３１】
上述の記載は一以上のプロセス又は装置の例を与えるが、他のプロセス又は装置も添付の特許請求の範囲内にあることが理解される。
【図１】
2014513619.tif 000003
【図２Ａ】
2014513619.tif 000004
【図２Ｂ】
2014513619.tif 000005
【図３】
2014513619.tif 000006
【図４】
2014513619.tif 000007
【図５．７．８】
2014513619.tif 000008
【図６】
2014513619.tif 000009
【図９Ａ】
2014513619.tif 000010
【図９Ｂ】
2014513619.tif 000011
【図９Ｃ】
2014513619.tif 000012
【図９Ｄ】
2014513619.tif 000013
【図９Ｅ】
2014513619.tif 000014
【図９Ｆ】
2014513619.tif 000015
【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
皮膚トリートメント装置であって、
一以上の皮膚疾患のトリートメントを行うための所望の特性を有する電磁放射を放出する少なくとも一つの光源の一部を包むポッティングと、
前記ポッティングの一端に配置された皮膚接触表面であって、前記少なくとも一つの光源から放出された電磁放射をユーザの皮膚に伝えるべく適合された皮膚接触表面と、
前記ポッティングの他端に直接的に又は間接的に接触する振動子であって、前記皮膚接触表面を振動させるべく適合された振動子と、
前記光源及び前記振動子の動作を制御する制御アセンブリと
を含み、
前記ポッティングは、前記少なくとも一つの光源から発生した熱を前記皮膚接触表面及びユーザの皮膚に伝える装置。
【請求項２】
前記皮膚接触表面は、ユーザの皮膚の一部を伸ばすべく適合された一以上のフォーメーションを含む、請求項１に記載の装置。
【請求項３】
前記皮膚接触表面は、皮膚疾患を完全に包絡するサイズの少なくとも一つの凹部を含む、請求項１に記載の装置。
【請求項４】
前記少なくとも一つの光源及び前記振動子は、前記ポッティングの前記一端から前記ポッティングの前記他端まで延びる共通軸に沿って整合される、請求項１に記載の装置。
【請求項５】
前記軸に沿って前記光源及び振動子と整合された電気回路コンポーネントを収容するハウジングと、
前記電気回路コンポーネントを互いに対して軸方向に押し合わせて擾乱の場合に前記コンポーネントの脱落を妨げる付勢体と
をさらに含む、請求項４に記載の装置。
【請求項６】
前記皮膚接触表面は、前記ポッティングの露出面と少なくとも一つの光源の突出先端部とによって画定される、請求項１に記載の装置。
【請求項７】
一端にアパチャを有するトリートメントヘッドハウジングをさらに含み、
前記ポッティングは前記アパチャと面一のキャビティ内に配置され、
少なくとも一つの光源の先端部が前記アパチャから短距離だけ突出する、請求項１に記載の装置。
【請求項８】
前記皮膚疾患は、いぼ、まめ又は吹き出物の少なくとも一つである、請求項３に記載の装置。
【請求項９】
前記ポッティングは、少なくとも一つのヒータ及び一つの高周波エミッタをさらに含む、請求項１に記載の装置。
【請求項１０】
前記皮膚接触表面はさらに、熱及び振動エネルギーを前記皮膚に伝えるべく適合される、請求項１に記載の装置。
【請求項１１】
少なくとも一つのプリント回路基板（ＰＣＢ）と、
前記ＰＣＢを受容するキャビティと、
少なくとも一つのアパチャと
を一端に含み、
形成されるときに前記アパチャを通してポッティング材料が堆積して前記キャビティを充填し、前記ポッティングを形成し、並びに前記ＰＣＢ、光源及びトリートメントヘッドハウジングを一緒に結合させる、請求項７に記載の装置。
【国際調査報告】
2014513619.tif 000016